【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  ジェット燃料と、以下の添加剤：
（ｉ）エチレンと、少なくとも５個の炭素原子を有するビニルエステル、(メタ)アクリル酸アルキル、フマル酸ジアルキル及びマレイン酸ジアルキルから選択される少なくとも１種の不飽和エステルとのコポリマー；
（ii）エチレンとアルケンとのコポリマー；
（iii）エチレンと、15モル％未満の酢酸ビニルとのコポリマー；
（iv）核形成物質；
（ｖ）ワックス；
（vi）実質的に分岐したアルキルフェノールホルムアルデヒド縮合物；
（vii）コームポリマー；及び
（viii）極性窒素化合物
の少なくとも１種とを含むジェット燃料組成物。
【請求項２】  ジェット燃料と、（ｉ）、（ii）又は（iii）から選択される少なくとも１種のコポリマー、少なくとも１種の極性窒素化合物（viii）及び任意に少なくとも１種の核形成物質（iv）の配合添加剤とを含む、請求項１に記載のジェット燃料組成物。
【請求項３】  ジェット燃料と、（ｉ）、（ii）又は（iii）から選択される少なくとも１種のコポリマー、少なくとも１種のコームポリマー（vii）及び任意に少なくとも１種の核形成物質（iv）の配合添加剤とを含む、請求項１に記載のジェット燃料組成物。
【請求項４】  ジェット燃料と、少なくとも１種の極性窒素化合物（viii）及び少なくとも１種のコームポリマー（vii）の配合添加剤とを含む、請求項１に記載のジェット燃料組成物。
【請求項５】  ジェット燃料と、少なくとも１種の極性窒素化合物（viii）及び少なくとも１種の実質的に分岐したアルキルフェノールホルムアルデヒド縮合物の配合添加剤とを含む、請求項１に記載のジェット燃料組成物。
【請求項６】  ジェット燃料と、少なくとも１種の極性窒素化合物（viii）及び少なくとも１種の核形成物質（iv）の配合添加剤とを含む、請求項１に記載のジェット燃料組成物。
【請求項７】  前記添加剤又は配合添加剤が、10〜20,000ppm（百万部の燃料に対する添加剤の部）の範囲の量で、該ジェット燃料組成物中に存在する、請求項１〜６のいずれか１項に記載のジェット燃料組成物。
【請求項８】  前記ジェット燃料が、Jet A、Jet A-１、Jet B、MIL JP 5、MIL JP 7、MIL JP 8及びMIL JP 4から選択される、請求項１〜７のいずれか１項に記載のジェット燃料組成物。
【請求項９】  前記エチレンと少なくとも１種の不飽和エステルとのコポリマー（ｉ）が、エチレンと、下記式を有する少なくとも１種のビニルエステルとのコポリマー（ｉ）である、請求項１〜８のいずれか１項に記載のジェット燃料組成物。
-ＣＲ1Ｒ2-ＣＨＲ3-
（式中、Ｒ2は水素又はメチル基を表し；Ｒ1は-ＯＯＣＲ4基を表し、式中Ｒ4はＣ1〜Ｃ28の直鎖若しくは分岐鎖アルキル基を表し；Ｒ3は水素又はアルキルを表し；かつ前記ビニルエステルは少なくとも５個の炭素原子を有する。）
【請求項１０】  前記ビニルエステルが、プロピオン酸ビニル、酪酸ビニル、ヘキサン酸ビニル、２-エチルヘキサン酸ビニル、オクタン酸ビニル、安息香酸ビニル及びネオ酸ビニルエステルから選択される、請求項９に記載のジェット燃料組成物。
【請求項１１】  前記エチレンと少なくとも１種の不飽和エステルとのコポリマー（ｉ）が、50〜95モル％のエチレン含量を有する、請求項１〜１０のいずれか１項に記載のジェット燃料組成物。
【請求項１２】  前記エチレンとアルケンとのコポリマー（ii）が、エチレンと、最高20個の炭素原子を有する１-アルケンとのコポリマーである、請求項１〜１１のいずれか１項に記載のジェット燃料組成物。
【請求項１３】  前記エチレンとアルケンとのコポリマー（ii）が、50〜90モル％のエチレン含量を有する、請求項１〜１２のいずれか１項に記載のジェット燃料組成物。
【請求項１４】  前記エチレンと15モル％未満の酢酸ビニルとのコポリマー（iii）が、14モル％未満の酢酸ビニルを含む、請求項１〜１３のいずれか１項に記載のジェット燃料組成物。
【請求項１５】  前記核形成物質（iv）が、ポリオキシアルケン化合物である、請求項１〜１４のいずれか１項に記載のジェット燃料組成物。
【請求項１６】  前記核形成物質（iv）が、単一の結晶性ブロック及び単一の非結晶性ブロックを含むブロックコポリマーである、請求項１〜１５のいずれか１項に記載のジェット燃料組成物。
【請求項１７】  前記ワックス（ｖ）が、直鎖及び非直鎖パラフィン炭化水素を含む、請求項１〜１６のいずれか１項に記載のジェット燃料組成物。
【請求項１８】  前記実質的に分岐したアルキルフェノールホルムアルデヒド縮合物（vi）が、イソ−ノニルフェノールホルムアルデヒド縮合物又はイソ−ドデシルフェノールホルムアルデヒド縮合物から選択される、請求項１〜１７のいずれか１項に記載のジェット燃料組成物。
【請求項１９】  前記コームポリマー（vii）が、下記一般式を有する、請求項１〜１８のいずれか１項に記載のジェット燃料組成物。
【化１】
2003313568.tif 000001
（式中、ＤはＲ11、ＣＯＯＲ10、ＯＣＯＲ10、Ｒ11ＣＯＯＲ10又はＯＲ10を表し；
ＥはＨ又はＤを表し；
ＧはＨ又はＤを表し；
ＪはＨ、Ｒ11、Ｒ11ＣＯＯＲ10、又は置換若しくは無置換アリール若しくはヘテロ環基を表し；
ＫはＨ、ＣＯＯＲ11、ＯＣＯＲ11、ＯＲ11、又はＣＯＯＨを表し；
ＬはＨ、Ｒ11、ＣＯＯＲ11、ＯＣＯＲ11又は置換若しくは無置換アリールを表し；
Ｒ10は10個以上の炭素原子を有するヒドロカルビル基を表しており、
かつ
Ｒ11は、Ｒ11ＣＯＯＲ10部分ではヒドロカルビレン（二価）基を表し、その他ではヒドロカルビル（一価）基を表しており、
かつ、ｍとｎはモル比を表し、その合計が１であり、ｍは有限かつ１を含め１までであり、ｎは０〜１未満である。）
【請求項２０】  前記コームポリマー（vii）が、ポリ-1-アルケンである、請求項１〜１９のいずれか１項に記載のジェット燃料組成物。
【請求項２１】  前記コームポリマー（vii）が、少なくとも１種のＣ4〜Ｃ61-アルケンと、少なくとも１種のＣ10〜Ｃ141-アルケンとのコポリマーである、請求項１〜２０のいずれか１項に記載のジェット燃料組成物。
【請求項２２】  前記コームポリマー（vii）が、請求項２０又は２１に記載のコームポリマー（vii）の１種以上の混合物である、請求項１〜２１のいずれか１項に記載のジェット燃料組成物。
【請求項２３】  前記コームポリマー（vii）が、Ｃ8〜Ｃ12フマル酸ジアルキル−酢酸ボニルコポリマーである、請求項１〜２２のいずれか１項に記載のジェット燃料組成物。
【請求項２４】  前記極性窒素化合物（viii）が、モノ-若しくはジ-ドデシルアミノ、モノ-若しくはジ-テトラデシルアミノ、モノ-若しくはジ-ココアミノ及びモノ-若しくはジ-水素化獣脂アミンから選択される１種以上のアミノ置換基を保有する、請求項１〜２３のいずれか１項に記載のジェット燃料組成物。
【請求項２５】  ジェット燃料の流動点を低下させる方法であって、以下の工程：
ａ）ジェット燃料を供給する工程；及び
ｂ）このジェット燃料に、前記（ｉ）〜（viii）の少なくとも１種の添加剤を添加する工程
を含む方法。